(57)【要約】【課題】  犬を川や湖、海等で水遊びをさせる際に、浮力を得やすく、犬の体に密着せさることによって、犬が溺死するリスクを軽減し、犬の体温低下を防止することができ、且つ、犬が他のレジャー客に迷惑を掛けないように犬を誘導することのできる犬用ウェットスーツを提供する。【解決手段】  首開口部、前脚開口部及び腰開口部が設けられ、背中部ファスナーを閉めることによって大型犬の胴部に密着させることのできる犬用ウェットスーツであって、前記前脚開口部及び腰開口部の縁周部の生地がウェットスーツ本体の生地よりも厚めに形成されてなる。【選択図】図４
2008086265.tif 000002
【特許請求の範囲】
【請求項１】
首開口部、前脚開口部及び腰開口部が設けられ、背中部ファスナーを閉めることにより、犬の胴部に密着させることのできる犬用ウェットスーツ。
【請求項２】
前脚開口部及び腰開口部の縁周部の生地がウェットスーツ本体の生地よりも厚めに形成されることにより、ウェットスーツ本体の浮力を増強することのできる請求項１に記載の犬用ウェットスーツ。
【請求項３】
犬を誘導するためのリードを取付けるＤ環が首開口部上部に設けられてなる請求項１又は請求項２のいずれかに記載の犬用ウェットスーツ。
【発明の詳細な説明】
【技術分野】
【０００１】
本発明は、犬の胴部に密着させることができ、水中での浮力が増強され、且つ水遊びをする犬を誘導することができる犬用ウェットスーツに関するものである。
【背景技術】
【０００２】
近年のペットブームにより、大型犬等の飼い主が増加したのは周知の事実であり、犬連れ可能な海水浴場や湖水泳場が増加傾向にあることも相俟って、これらの飼い主は、川や湖、海などでのレジャー等に飼い犬を連れて行く場合が多々ある。その際に、飼い主は必ず飼い犬との水遊びに興じるが、一般的に泳ぎが得意とされる犬の中には、水嫌い或いは水を怖がる犬もおり、たとえ泳ぎが得意な犬であっても、突発的な事故によって溺れてしまうこともある。
【０００３】
そこで従来、亀甲状に装着する犬用水着であって、該亀甲状の生地が薄型密閉袋に形成されることにより、犬が水面に浮くことのできる浮き輪効果のある犬用水着が提示されている。（例えば、特許文献１。）。
【０００４】
また、川や湖、海等でのレジャーにおいて、水中で犬の胴部を保護するための犬用ウェットスーツが市販されてきた。また、ウェットスーツ生地による浮力も僅かながらあった。
【特許文献１】実用新案登録第３０７５４５７号
【発明の開示】
【発明が解決しようとする課題】
【０００５】
しかしながら、特許文献１に記載の犬用水着では、亀甲状の生地が薄型密閉袋に形成されていることから浮力を得ることができるものの、犬の腹部に水が直接触れてしまい、長時間水遊びをした場合には犬の体温が低下してしまうために、内臓系の疾患が発症したり下痢になったりするという問題点があった。
【０００６】
また、従来の犬用ウェットスーツは、そのウェットスーツ生地による僅かながらの浮力を得ることができるものの、犬用ウェットスーツの生地が犬の胴部と密着しておらず、犬用ウェットスーツ内面と犬の胴部との隙間に水が入ってくることから、長時間水遊びをした場合には、犬の体温が低下してしまい、内臓系の疾患が発症したり、下痢になったりするという問題点があった。
【０００７】
また、従来の犬用ウェットスーツは、上記の通り、僅かながらの浮力しか得られず、飼い主が安心して犬に水遊びをさせるためには、より強力な浮力を有する犬用ウェットスーツが必要とされた。
【０００８】
また、従来の犬用ウェットスーツでは、リード取り付け用のＤ環がなかったために、犬を誘導することができず、犬が危険な沖の方へ泳いで行ってしまったり、所構わずマーキングする或いは他のレジャー客に近寄って吠える等の迷惑行為を行う等の問題点があった。
【０００９】
そこで、本発明は、犬をプール等の水中で遊ばせる際に、犬用ウェットスーツを犬の胴部に密着させることによって、従来の犬用ウェットスーツ等以上の保温効果を上げるでき、より浮力を得やすく、犬を誘導することのできる犬用ウェットスーツを提供することを課題とする。
【課題を解決するための手段】
【００１０】
上記の課題を解決するために、本発明は次のように構成した。すなわち、本発明に係る犬用ウェットスーツは、胴巻型の犬用ウェットスーツであって、首開口部、前脚開口部及び腰開口部が形成され、前記前脚開口部及び腰開口部の各縁周部の生地が、ウェットスーツ本体よりも厚めの生地で縫付けられていることにより浮力が増強され、また、犬の胴部を本発明に係る犬用ウェットスーツで密着させることにより、犬用ウェットスーツと犬の胴部との隙間に水が進入しないので、犬の体温低下の防止を図ることができるとともに保温効果を上げることができ、さらに、首開口部上部に設けられたＤ環に取付けられたリードで犬を誘導することができることを特徴とする。
【発明の効果】
【００１１】
本発明に係る犬用ウェットスーツによれば、犬が溺れないように犬用ウェットスーツの浮力を増すことができ、また、犬の胴部に密着させることによって水が犬の胴部とウェットスーツ内面との隙間に浸入しないので犬の体温が低下せず、保温効果があり、尚且つ、他のレジャー客に迷惑を掛けないように飼い主がリードを用いて犬を誘導することができる。
【発明を実施するための最良の形態】
【００１２】
以下、図面に基づいて本発明を具体的に説明する。図１は、本発明に係る犬用ウェットスーツ１を示す平面図である。また、図２は、本発明に係る犬用ウェットスーツ１を示す底面図である。犬用ウェットスーツ１には、図１で示す首開口部２、前脚開口部３及び背中部ファスナー４、並びに図２で示す腰開口部５が形成されている。前脚開口部３及び腰開口部５の各縁周部には、本発明に係る犬用ウェットスーツと同素材の生地がウェットスーツ本体よりも厚めの生地で縫付けられており、各縁周部の生地をそのような構成とすることによって、前脚部及び腰部の浮力を増すことができ、犬の体全体としての浮力も増強される。
【００１３】
また、犬の前脚部及び腰部は、遊泳中は特に動作が激しい部分であるので、犬に掛かる負担を効果的に軽減させるには、前脚部及び腰部の浮力を増強することが有効である。
【００１４】
これにより、犬に掛かる遊泳中の負担を軽減することができ、犬が遊泳による疲労によって溺れてしまうリスクを回避することができる。また、突発的な事故により犬がパニックに陥って溺れてしまった場合にも、犬用ウェットスーツの増強された浮力により、飼い主は安心して犬の救助に向かうことができる。
【００１５】
図３は、背中部ファスナー４を開くことにより、本発明に係る犬用ウェットスーツ１を展開した平面図である。背中部ファスナー４を開くことで筒状である犬用ウェットスーツ１を展開した後、犬の左右前脚をそれぞれ前脚開口部３に挿入し、犬を吊り下げるように展開部分の生地を左右から持ち上げ、締め付けるように犬の胴部にフィットさせて背中部ファスナー４を閉じ、犬の胴部にしっかりと密着させる。
【００１６】
上記の装着方法によれば、大型犬であっても容易にウェットスーツを装着させることができ、また、背中部ファスナー４は、外れ易いボタンや面ファスナーとは異なり、より強力に犬の体に密着させることができる。さらに、背中部ファスナー４の裏に巻き付き防止の生地を縫付けることにより、背中部ファスナー４を閉める際、犬の毛が巻き付くことはない。
【００１７】
本発明に係る犬用ウェットスーツ１を上記のように装着させた後、犬を川や湖、海等で遊泳等の水遊びをさせる。犬は、本発明に係る犬用ウェットスーツ１の前脚開口部３及び腰開口部５の縁周部がウェットスーツ本体の生地よりも厚めの生地を縫付けてあることにより、容易に浮力を得ることができ、水嫌い又は泳ぎが苦手な犬であっても、飼い主は溺死などのリスクを気にせずに、水遊びに興じることができる。
【００１８】
また、背中部ファスナー４によって締め付けるように犬用ウェットスーツ１の生地が犬の胴部に密着しているため、遊泳中に犬用ウェットスーツ１内面と犬の胴部との隙間に水が入らず、長時間水遊びや遊泳をした場合であっても、犬の体温が低下せず、犬が内臓系の疾患や下痢になるリスクを軽減することができる。
【００１９】
図１に示すように、犬用ウェットスーツ１には、Ｄ環６が設けられており、Ｄ環６に取り付けたリードによって飼い主が犬を誘導することによって、他のレジャー客に迷惑等を掛けることなく、水遊びに興じることができる。
【００２０】
上記実施例では、本発明に係る犬用ウェットスーツは、レジャー用として使用されたが、プール等でのリハビリ用ウェットスーツとしても使用することができる。
【００２１】
犬、特に大型犬においては、股関節形成不全等の股関節障害になり易く、また、事故等によって骨折することもあり、獣医が施す手術も治療方法の一つではあるが、手術後の筋力回復又は筋力強化のためには、リハビリが不可欠である。また、手術をするほどの症状ではない犬であっても、障害箇所周辺の筋力強化のためには、リハビリが不可欠である。
【００２２】
本発明に係る犬用ウェットスーツは、上記の通り、胴巻型の犬用ウェットスーツであって、首開口部、前脚開口部及び腰開口部が形成され、前記前脚開口部及び腰開口部の各縁周部の生地が、ウェットスーツ本体よりも厚めの生地で縫付けられていることにより浮力が増し、また、犬の胴部を本発明に係る犬用ウェットスーツで固定することにより、犬が無駄な動きをせず、効果的且つバランスよく筋力の回復又は強化ができ、さらに、首開口部上部に設けられたＤ環に取付けられたリードで犬を牽引することにより、犬への負荷を障害レベル及び回復度に合わせて調節することができる。
【００２３】
また、股関節障害を負った犬のため以外にも、関節の脱臼や椎間板ヘルニア、又は内臓系の疾患等の様々な病気によって筋力が低下した犬に対しても使用することができる。
【００２４】
また、上記実施例では、前脚開口部３及び腰開口部５の各縁周部の生地をウェットスーツ本体の生地よりも厚めの構成とすることによって浮力を増すことが、上記各開口部のサイズに合う浮き輪を上記各開口部の縁周部に取り付けてもよい。
【産業上の利用可能性】
【００２５】
上記実施例では、本発明に係る犬用ウェットスーツが川や湖、海等のレジャー用に使用されたが、ハイキングなどの山歩きにおいても本発明に係る犬用ウェットスーツを使用することができ、犬の胴部を枯れ木や突き出た岩などから保護することができる。
【００２６】
本発明に係る犬用ウェットスーツは、上記実施例のように、プール等の水中でのリハビリのために使用することもできるが、股関節障害等を負った犬がある程度回復したことによって、散歩等のウォーキングによるリハビリに切り替える際には、犬の胴部を固定するコルセットとしても使用することができる。
【図面の簡単な説明】
【００２７】
【図１】本発明に係る犬用ウェットスーツを示す平面図である。
【図２】本発明に係る犬型用ウェットスーツを示す底面図である。
【図３】背中部ファスナーを開くことにより展開された本発明に係る犬用ウェットスーツを示す平面図である。
【図４】本発明に係る犬用ウェットスーツを実際に犬に装着させた状態を示す図である。
【符号の説明】
【００２８】
１    犬用ウェットスーツ
２    首開口部
３    前脚開口部
４    背中部ファスナー
５    腰開口部
６    Ｄ環
【図１】
2008086265.tif 000003
【図２】
2008086265.tif 000004
【図３】
2008086265.tif 000005
【図４】
2008086265.tif 000006
【手続補正書】
【提出日】平成18年10月4日(2006.10.4)
【手続補正１】
【補正対象書類名】図面
【補正対象項目名】図１
【補正方法】変更
【補正の内容】
【図１】
2008086265.tif 000007
【手続補正２】
【補正対象書類名】図面
【補正対象項目名】図２
【補正方法】変更
【補正の内容】
【図２】
2008086265.tif 000008
【手続補正３】
【補正対象書類名】図面
【補正対象項目名】図３
【補正方法】変更
【補正の内容】
【図３】
2008086265.tif 000009